【手続補正書】
【提出日】平成28年10月14日(2016.10.14)
【手続補正１】
【補正対象書類名】特許請求の範囲
【補正対象項目名】全文
【補正方法】変更
【補正の内容】
【特許請求の範囲】
【請求項１】
ハードマクロ領域を定義する外面を有し、および、上面と、底面と、前記上面から前記底面までのハードマクロの厚さを有するハードマクロであって、前記ハードマクロは、前記上面から前記底面まで前記ハードマクロを通過して延伸する複数のビアを含み、前記ハードマクロは、前記ハードマクロの上面に複数の閉塞部分を含み、前記複数の閉塞部分は、前記ハードマクロの底面まで前記ハードマクロを通過して延伸し、そこにおいて、前記複数のビアが前記閉塞部分のうちの少なくともいくつかに形成される、ハードマクロ。
【請求項２】
前記複数の閉塞部分が規則的なパターンに配置される、請求項１に記載のハードマクロ。
【請求項３】
前記規則的なパターンはアレイを備える、請求項２に記載のハードマクロ。
【請求項４】
複数の閉塞部分の前記アレイ内のブロック部分は、ジグザグパターンまたは不規則なパターンに、少なくとも２行および少なくとも２列に配列される、請求項３に記載のハードマクロ。
【請求項５】
少なくとも１つの半導体ダイに組み込まれる、請求項１−４のうちのいずれか１つに記載のハードマクロ。
【請求項６】
セット・トップ・ボックス、音楽プレイヤー、映像プレイヤー、エンターテーメントユニット、ナビゲーションデバイス、通信デバイス、パーソナル・デジタル・アシスタント（ＰＤＡ）、定位置データユニット、およびコンピュータから成るグループから選択され、請求項１−４のうちのいずれか１つの前記ハードマクロを含む、デバイス。
【請求項７】
コンピュータによって実行される時、請求項１−４のうちのいずれか１つに従ってハードマクロを生成することをコンピュータ制御されるデバイスに行わせる命令を記憶する不揮発性コンピュータ可読媒体。
【請求項８】
上面層、底面層、および少なくとも１つの中間層を備える集積回路であって、前記上面層は上面層導電配線を含み、前記少なくとも１つの中間層はハードマクロを含み、前記底面層は底面層導電配線を含む、ここにおいて、前記上面層導電配線は前記ハードマクロを通過して延伸する複数のビアによって前記底面層導電配線に接続され、前記ハードマクロは、前記ハードマクロの上面に複数の閉塞部分を含み、前記複数の閉塞部分は、前記ハードマクロを通過して延伸し、そこにおいて、前記複数のビアが前記閉塞部分のうちの少なくともいくつかに形成される、集積回路。
【請求項９】
前記上面層は上面層のアクティブな要素を含みならびに前記底面層は底面層のアクティブな要素を含む、およびここにおいて、前記上面層のアクティブな要素は、前記ビアによって前記底面層のアクティブな要素に接続される、請求項８に記載の集積回路。
【請求項１０】
少なくとも１つの半導体ダイに組み込まれる、請求項８または９に記載の集積回路。
【請求項１１】
セット・トップ・ボックス、音楽プレイヤー、映像プレイヤー、エンターテーメントユニット、ナビゲーションデバイス、通信デバイス、パーソナル・デジタル・アシスタント（ＰＤＡ）、定位置データユニット、およびコンピュータから成るグループから選択され、請求項８または９に記載の前記集積回路を含む、デバイス。
【請求項１２】
集積回路の第１の層を形成することと、
前記集積回路の前記第１の層上に前記集積回路の第２の層を形成することと、前記第２の層は少なくとも１つのハードマクロを含む、
前記ハードマクロを通過する少なくとも１つのビアを形成することと、
前記第２の層の上面に第３の層を形成することと、
前記少なくとも１つのビアを用いて前記第３の層上の要素に前記第１の層上の要素を電気的に接続することと、
を備え、
前記ハードマクロは、複数の閉塞部分を含む、およびそこにおいて、前記少なくとも１つのビアを形成することは、前記複数の閉塞部分のうちの１つに前記少なくとも１つのビアを形成することを備える、方法。
【請求項１３】
コンピュータ可読媒体を備えるコンピュータ・プログラム・プロダクトであって、前記コンピュータ可読媒体は、請求項１２にしたがった方法を実行することをコンピュータまたはプロセッサに行わせるための少なくとも１つの命令を備える、コンピュータ・プログラム・プロダクト。
【手続補正２】
【補正対象書類名】明細書
【補正対象項目名】００３６
【補正方法】変更
【補正の内容】
【００３６】
[0043]前述の開示は例示された本発明の実施例を示すが、様々な変更および修正が添付の請求項によって定義されるように本発明の範囲から逸脱することなくここで行われ得るだろう。ここに記載された本発明の実施例にしたがった方法の請求項の機能、ステップおよび／または動作は、任意の特定の順序で実行される必要はない。さらに、本発明の要素は、単数で記載されるか、または請求され得るが、単数への限定が明らかに述べられていなければ、複数が検討される。
以下に、本願出願の当初の特許請求の範囲に記載された発明を付記する。
［Ｃ１］
ハードマクロ領域を定義する外面を有し、および、上面と、底面と、前記上面から前記底面までのハードマクロの厚さを有するハードマクロであって、前記ハードマクロは、前記上面から前記底面まで前記ハードマクロを通過して延伸する複数のビアを含む、ハードマクロ。
［Ｃ２］
前記ハードマクロの上面に複数の閉塞部分を含み、前記複数の閉塞部分は、前記ハードマクロの底面まで前記ハードマクロを通過して延伸し、そこにおいて、前記複数のビアが前記閉塞部分のうちの少なくともいくつかに形成される、Ｃ１に記載のハードマクロ。
［Ｃ３］
前記複数の閉塞部分が規則的なパターンに配置される、Ｃ２に記載のハードマクロ。
［Ｃ４］
前記規則的なパターンはアレイを備える、Ｃ３に記載のハードマクロ。
［Ｃ５］
少なくとも１つの半導体ダイに組み込まれる、Ｃ１−Ｃ４のうちのいずれか１つに記載のハードマクロ。
［Ｃ６］
セット・トップ・ボックス、音楽プレイヤー、映像プレイヤー、エンターテーメントユニット、ナビゲーションデバイス、通信デバイス、パーソナル・デジタル・アシスタント（ＰＤＡ）、定位置データユニット、およびコンピュータから成るグループから選択され、Ｃ１−Ｃ４のうちのいずれか１つの前記ハードマクロを含む、デバイス。
［Ｃ７］
コンピュータによって実行される時、Ｃ１−Ｃ４のうちのいずれか１つに従ってハードマクロを生成することをコンピュータ−制御されるデバイスに行わせる命令を記憶する不揮発性コンピュータ可読媒体。
［Ｃ８］
上面層、底面層、および少なくとも１つの中間層を備える集積回路であって、前記上面層は上面層導電配線を含み、前記少なくとも１つの中間層はハードマクロを含み、前記底面層は底面層導電配線を含む、ここにおいて、前記上面層導電配線はハードマクロを通過して延伸するビアによって前記底面層導電配線に接続される、集積回路。
［Ｃ９］
前記上面層は上面層のアクティブな要素を含みならびに前記底面層は底面層のアクティブな要素を含む、およびここにおいて、前記上面層のアクティブな要素は、前記ビアによって前記底面層のアクティブな要素に接続される、Ｃ８に記載の集積回路。
［Ｃ１０］
少なくとも１つの半導体ダイに組み込まれる、Ｃ８またはＣ９に記載の集積回路。
［Ｃ１１］
セット・トップ・ボックス、音楽プレイヤー、映像プレイヤー、エンターテーメントユニット、ナビゲーションデバイス、通信デバイス、パーソナル・デジタル・アシスタント（ＰＤＡ）、定位置データユニット、およびコンピュータから成るグループから選択され、Ｃ８またはＣ９に記載の前記集積回路を含む、デバイス。
［Ｃ１２］
集積回路の第１の層を形成することと、
前記集積回路の前記第１の層上に前記集積回路の第２の層を形成することと、前記第２の層は少なくとも１つのハードマクロを含む、
前記ハードマクロを通過する少なくとも１つのビアを形成することと、
前記第２の層の上面に第３の層を形成することと、
前記少なくとも１つのビアを用いて前記第３の層上の要素に前記第１の層上の要素を電気的に接続することと、
を備える方法。
［Ｃ１３］
前記ハードマクロは、複数の閉塞部分を含む、およびそこにおいて、前記ビアを形成することは前記複数の閉塞部分のうちの１つに前記ビアを形成することを備える、Ｃ１２に記載の方法。
［Ｃ１４］
コンピュータ可読媒体を備えるコンピュータ・プログラム・プロダクトであって、前記コンピュータ可読媒体は、Ｃ１２またはＣ１３にしたがった方法を実行することをコンピュータまたはプロセッサに行わせるための少なくとも１つの命令を備える、コンピュータ・プログラム・プロダクト。